(57)【要約】【課題】流体を取り扱う医療用具同士を容易且つ確実に接続可能な接続構造、雄コネクタ、雌コネクタを提供する。【解決手段】コネクタ１０，５０は、係合部２０，６０を有し、一方の係合部２０は、傾斜端面２３と立ち上がり端面２４とを有する突起２２を備え、他方の係合部６０は、立ち上がり端面２４と当接可能な当接端面６４を有する突起６２を備え、各係合部２０，６０には、突起２２，６２が設けられる突起領域２１，６１と突起２２，６２よりも径方向に凹む隣接領域２８，６８とが連通路Ｃの軸線周りに設定され、コネクタ１０，５０の突起領域２１，６１と隣接領域２８，６８とは、相対するコネクタ５０，１０の隣接領域６８，２８と突起領域６１，２１とに対応させて配置され、コネクタ１０，５０の突起領域２１，６１は、相対するコネクタ５０，１０の隣接領域６８，２８以下の角度範囲で設けられる。【選択図】図２
2009050530.tif 000002
【特許請求の範囲】
【請求項１】
係脱可能に構成される一対のコネクタを備え、各コネクタの前方部同士を互いに連結させて、各コネクタの後方部に繋げられる各医療用具の間に流体を流通させる連通路を形成しつつ、これら医療用具同士を接続する医療用具の接続構造であって、
各コネクタは、互いに嵌合する態様で連結されるとともに、連結された状態を維持すべく互いに係合可能な係合部を前方部にそれぞれ有し、
一方のコネクタの係合部は、嵌合方向に対して傾斜する前方側の傾斜端面と、嵌合方向に直交するか若しくは前記傾斜端面よりも急角度で傾斜する後方側の立ち上がり端面とを有する突起を備え、
他方のコネクタの係合部は、一方のコネクタの係合部の立ち上がり端面と当接可能な当接端面を少なくとも有する突起を備え、
しかも、前記一方のコネクタの係合部には、前記傾斜端面及び立ち上がり端面を有する突起が設けられる突起領域と、該突起領域に隣接し突起よりも径方向に凹む隣接領域とが、前記連通路の軸線周りに設定されるとともに、
前記他方のコネクタの係合部には、前記当接端面を有する突起が設けられる突起領域と、該突起領域に隣接し突起よりも径方向に凹む隣接領域とが前記連通路の軸線周りに設定され、
各コネクタの突起領域と隣接領域とは、相対するコネクタの隣接領域と突起領域とにそれぞれ対応させて配置され、且つ、各コネクタの突起領域は、相対するコネクタの隣接領域と同一又はそれ以下の角度範囲で設けられることを特徴とする医療用具の接続構造。
【請求項２】
前記他方のコネクタは、径方向内側に設けられる内周部と、径方向外側に設けられる外周部とを有し、
前記内周部は、一方のコネクタの前方部に収容され、
前記外周部は、一方のコネクタの前方部を径方向外側から包囲し、前記内周部との間に前記一方のコネクタの前方部を収容することを特徴とする請求項１に記載の医療用具の接続構造。
【請求項３】
前記一方のコネクタは、後方部よりも内径が大きくなるように前方に向かって拡開する拡開部を前方部に有し、
該一方のコネクタの拡開部には、前記他方のコネクタの内周部が収容され、
前記一方のコネクタの係合部は、前方部の外周に設けられるとともに、前記他方のコネクタの係合部は、前記外周部の内周に設けられ、
前記一方のコネクタの後方部の内径と他方のコネクタの前方部が有する内周部の内径とは、略同一に構成されることを特徴とする請求項２に記載の医療用具の接続構造。
【請求項４】
雌コネクタの前方部が連結される前方部と医療用具が繋げられる後方部とを有し、該後方部に繋げられる医療用具と前記雌コネクタの後方部に繋げられる医療用具との間に流体を流通させる連通路を形成しつつこれら医療用具同士を接続するのに用いられ、雌コネクタに対して係脱可能に構成される雄コネクタであって、
雌コネクタと嵌合する態様で該雌コネクタと連結され、
前記前方部には、連結状態を維持すべく雌コネクタと係合する係合部が備えられ、
該係合部は、雌コネクタとの嵌合方向に対して傾斜する前方側の傾斜端面と、嵌合方向に直交するか若しくは前記傾斜端面よりも急角度で傾斜する後方側の立ち上がり端面とを有する突起を備え、
しかも、前記係合部には、前記傾斜端面及び立ち上がり端面を有する突起が形成される突起領域と、該突起領域に隣接し突起よりも径方向に凹む隣接領域とが前記連通路の軸線周りに設られることを特徴とする雄コネクタ。
【請求項５】
雄コネクタの前方部が連結される前方部と医療用具が繋げられる後方部とを有し、該後方部に繋げられる医療用具と前記雄コネクタの後方部に繋げられる医療用具との間に流体を流通させる連通路を形成しつつ、これら医療用具同士を接続するのに用いられ、雄コネクタに対して係脱可能に構成される雌コネクタであって、
雄コネクタと嵌合する態様で該雄コネクタと連結され、
前記前方部には、連結状態を維持すべく雄コネクタと係合する係合部が備えられ、
該係合部は、雄コネクタとの嵌合方向に対して傾斜する前方側の傾斜端面と、嵌合方向に直交するか若しくは前記傾斜端面よりも急角度で傾斜する後方側の立ち上がり端面とを有する突起を備え、
しかも、前記係合部には、前記傾斜端面及び立ち上がり端面を有する突起が形成される突起領域と、該突起領域に隣接し突起よりも径方向に凹む隣接領域とが前記連通路の軸線周りに設られることを特徴とする雌コネクタ。
【発明の詳細な説明】
【技術分野】
【０００１】
本発明は、医療用具の間に流体を流通させる連通路を形成しつつこれら医療用具同士を接続する医療用具の接続構造、及び、該接続構造に用いられる雄コネクタ並びに雌コネクタに関する。
【背景技術】
【０００２】
医療の現場では、例えば輸液用チューブ、輸血用チューブ、カテーテルチューブなどの各種の医療用チューブや、注射器、三方活栓などの、流体を取り扱う医療用具同士を接続して、輸血や薬剤投与などの医療行為が施されている。このような医療用具は、容易且つ確実に接続することを目的として、端部に雌コネクタや雄コネクタが一体的に形成されている。
【０００３】
現在最も一般的に流通している雌コネクタ及び雄コネクタについて説明すると、雌コネクタは、内部にルアーテーパーと呼ばれるテーパー部を有するとともに、外周部にネジ部を有する（例えば、特許文献１及び特許文献２）。また、雄コネクタは、同心に配置されるコネクタ本体と該コネクタ本体に外嵌されるロックリングとで構成される（例えば、特許文献１及び特許文献２）。コネクタ本体は、前記雌コネクタのテーパー部に受け入れられるルアーテーパーと呼ばれるテーパー部を有し、ロックリングは、前記雌コネクタの外周部のネジ部と螺合するネジ部を内周部に有する。
【０００４】
かかる雌コネクタと雄コネクタとは、それぞれのテーパー部同士が接触（若しくは圧接）することで流通路の密閉性が確保されるとともに、それぞれのネジ部同士が螺合することで抜け止めされるものである。
【０００５】
【特許文献１】特開２００５−４６６号公報
【特許文献２】特開２００６−２２３５８３号公報
【発明の開示】
【発明が解決しようとする課題】
【０００６】
ところで、上述のような従来の接続構造では、ロックリングを締め付ける動作が必要であるが、締め付けが十分でないと、密閉性が損なわれたり、さらには雌コネクタと雄コネクタが外れて接続が解除されてしまうものである。
【０００７】
また、ロックリングの締め付けはネジ部同士の螺合によるものであるため、動作を行う者によって締め付けの程度に差が生じることを有効に防止することができない。しかも、ネジ部同士の螺合では締め付けの程度は段階的にではなく連続的に変化するため、密閉性が損なわれたり接続が解除されたりしない程度に十分ロックリングを締め付けたか否かを動作を行っている者が把握しにくい。そして、仮に接続作業時には十分に締め付けを行ったとしても、時間の経過とともにネジ部同士が滑って結果的に緩んでしまう場合もあり得る。
【０００８】
このように、上述のようないわゆるネジ式の接続構造では、接続不良の発生を好適に防止することができない。
【０００９】
そこで、本発明は、流体を取り扱う医療用具同士を容易且つ確実に接続することができる接続構造、及び、かかる接続構造に用いられる雄コネクタ並びに雌コネクタを提供することを目的とする。
【課題を解決するための手段】
【００１０】
本発明に係る医療用具の接続構造は、係脱可能に構成される一対のコネクタを備え、各コネクタの前方部同士を互いに連結させて、各コネクタの後方部に繋げられる各医療用具の間に流体を流通させる連通路を形成しつつ、これら医療用具同士を接続する医療用具の接続構造であって、各コネクタは、互いに嵌合する態様で連結されるとともに、連結された状態を維持すべく互いに係合可能な係合部を前方部にそれぞれ有し、一方のコネクタの係合部は、嵌合方向に対して傾斜する前方側の傾斜端面と、嵌合方向に直交するか若しくは前記傾斜端面よりも急角度で傾斜する後方側の立ち上がり端面とを有する突起を備え、他方のコネクタの係合部は、一方のコネクタの係合部の立ち上がり端面と当接可能な当接端面を少なくとも有する突起を備え、しかも、前記一方のコネクタの係合部には、前記傾斜端面及び立ち上がり端面を有する突起が設けられる突起領域と、該突起領域に隣接し突起よりも径方向に凹む隣接領域とが、前記連通路の軸線周りに設定されるとともに、前記他方のコネクタの係合部には、前記当接端面を有する突起が設けられる突起領域と、該突起領域に隣接し突起よりも径方向に凹む隣接領域とが前記連通路の軸線周りに設定され、各コネクタの突起領域と隣接領域とは、相対するコネクタの隣接領域と突起領域とにそれぞれ対応させて配置され、且つ、各コネクタの突起領域は、相対するコネクタの隣接領域と同一又はそれ以下の角度範囲で設けられることを特徴とする。
【００１１】
上記構成からなる医療用具の接続構造によれば、コネクタ同士を連結すると、一方のコネクタの係合部の立ち上がり端面と他方のコネクタの係合部の当接端面とが当接した状態となり、コネクタ同士を好適に抜け止めすることができる。
【００１２】
また、一方のコネクタの係合部の突起には傾斜端面が設けられるため、各コネクタの突起領域同士を一致させた状態であっても、コネクタ同士を接近させると他方のコネクタの突起が一方のコネクタの突起の傾斜端面上をスライドする態様とすることができ、コネクタ同士を容易に連結することができる。また、コネクタの連結を行う者は、各コネクタの突起同士が互いを乗り越える際の感覚を認識することができるため、コネクタの連結状態を感覚的にも把握することができる。
【００１３】
そして、各コネクタの突起領域と隣接領域とを一致させた状態とした場合には、各コネクタの突起同士が互いに干渉しない状態となり、この状態から嵌合方向に沿って離間させれば、容易にコネクタを外すことができる。
【００１４】
また、上記医療用具の接続構造は、前記他方のコネクタは、径方向内側に設けられる内周部と、径方向外側に設けられる外周部とを有し、前記内周部は、一方のコネクタの前方部に収容され、前記外周部は、一方のコネクタの前方部を径方向外側から包囲し、前記内周部との間に前記一方のコネクタの前方部を収容する構成が好ましい。
【００１５】
また、前記一方のコネクタは、後方部よりも内径が大きくなるように前方に向かって拡開する拡開部を前方部に有し、該一方のコネクタの拡開部には、前記他方のコネクタの内周部が収容され、前記一方のコネクタの係合部は、前方部の外周に設けられるとともに、前記他方のコネクタの係合部は、前記外周部の内周に設けられ、前記一方のコネクタの後方部の内径と他方のコネクタの前方部が有する内周部の内径とは、略同一に構成されることが好ましい。
【００１６】
このようにすれば、前記一方のコネクタの前方部及び後方部の内径と他方のコネクタの後方部の内径とが略同一に構成されることにより、各コネクタ間には、段差のない連続した管路（即ち、連通路）が形成されることとなる。また、他方のコネクタでは、一方のコネクタと係合する機能が外周部に割り当てられ、一方のコネクタとの間に連通路を形成する機能が内周部に割り当てられるため、それぞれの機能の信頼性を高いものとすることができる。
【００１７】
また、本発明に係る雄コネクタは、雌コネクタの前方部が連結される前方部と医療用具が繋げられる後方部とを有し、該後方部に繋げられる医療用具と前記雌コネクタの後方部に繋げられる医療用具との間に流体を流通させる連通路を形成しつつこれら医療用具同士を接続するのに用いられ、雌コネクタに対して係脱可能に構成される雄コネクタであって、雌コネクタと嵌合する態様で該雌コネクタと連結され、前記前方部には、連結状態を維持すべく雌コネクタと係合する係合部が備えられ、該係合部は、雌コネクタとの嵌合方向に対して傾斜する前方側の傾斜端面と、嵌合方向に直交するか若しくは前記傾斜端面よりも急角度で傾斜する後方側の立ち上がり端面とを有する突起を備え、しかも、前記係合部には、前記傾斜端面及び立ち上がり端面を有する突起が形成される突起領域と、該突起領域に隣接し突起よりも径方向に凹む隣接領域とが前記連通路の軸線周りに設られることを特徴とする。
【００１８】
そして、本発明に係る雌コネクタは、雄コネクタの前方部が連結される前方部と医療用具が繋げられる後方部とを有し、該後方部に繋げられる医療用具と前記雄コネクタの後方部に繋げられる医療用具との間に流体を流通させる連通路を形成しつつ、これら医療用具同士を接続するのに用いられ、雄コネクタに対して係脱可能に構成される雌コネクタであって、雄コネクタと嵌合する態様で該雄コネクタと連結され、前記前方部には、連結状態を維持すべく雄コネクタと係合する係合部が備えられ、該係合部は、雄コネクタとの嵌合方向に対して傾斜する前方側の傾斜端面と、嵌合方向に直交するか若しくは前記傾斜端面よりも急角度で傾斜する後方側の立ち上がり端面とを有する突起を備え、しかも、前記係合部には、前記傾斜端面及び立ち上がり端面を有する突起が形成される突起領域と、該突起領域に隣接し突起よりも径方向に凹む隣接領域とが前記連通路の軸線周りに設られることを特徴とする。
【発明の効果】
【００１９】
以上のように、本発明によれば、流体を取り扱う医療用具同士を容易且つ確実に接続することができる。
【発明を実施するための最良の形態】
【００２０】
以下に、本発明に係る医療用具の接続構造、及び、該接続構造に用いられる雄コネクタ並びに雌コネクタの実施形態について、図面に基づいて説明する。
【００２１】
＜第一実施形態＞
第一実施形態に係る医療用具の接続構造は、図１及び図２に示すように、係脱可能に構成される一対のコネクタ１０，５０（雌コネクタ１０及び雄コネクタ５０）を備え、各コネクタ１０，５０の前方部１１，５１同士を互いに連結させて、各コネクタ１０，５０の後方部１４，５５に繋げられる各医療用具Ｍ，Ｍの間に流体を流通させる連通路Ｃを形成しつつ、これら医療用具Ｍ，Ｍ同士を接続するものである。前記各コネクタ１０，５０は、互いに嵌合する態様で連結されるとともに、連結された状態を維持すべく互いに係合可能な係合部２０，６０を前方部１１，５１にそれぞれ有する。
【００２２】
ここで、本発明の実施形態では、一対のコネクタを構成する部位の中で連通路Ｃを形成するのに供する一対の部位のうち、他方の部位を受け入れる一方の部位を有するコネクタを雌コネクタとし、一方の部位に受け入れられる他方の部位を有するコネクタを雄コネクタとする。具体的には、第一実施形態では、連通路Ｃを形成するのに供する一方の部位とは、雌コネクタ１０の前方部１１であり、同他方の部位とは、後述する雄コネクタ５０の前方部５１の内周部５２である。
【００２３】
かかる医療用具の接続構造によって接続される医療用具Ｍとしては、例えば、輸液用チューブ、輸血用チューブ、カテーテルチューブなどの各種の医療用チューブや、注射器、三方活栓などの、流体を内部で流通させるものが挙げられるが、図面においては、医療用チューブ同士を接続するものを例示している。また、かかる医療用具の接続構造によって流通される流体としては、血液、薬液等の液体や、酸素、窒素、笑気ガス、麻酔ガス等の気体が挙げられる。
【００２４】
図３に示すように、一対のコネクタ１０，５０のうちの一方のコネクタ（具体的には、雌コネクタ）１０の係合部２０は、他方のコネクタ（具体的には、雄コネクタ）５０との嵌合方向に対して傾斜する前方側の傾斜端面２３と、嵌合方向に直交する後方側の立ち上がり端面２４とを有する突起２２を備える。該突起２２は、断面三角形状を有し、傾斜端面２３と立ち上がり端面２４とによって画成される頂部２５は、鋭角に形成される。例えば、突起２２の傾斜角度は、４５°に設定される。
【００２５】
また、雄コネクタ５０の係合部６０は、雌コネクタ１０との嵌合方向に対して傾斜する前方側の傾斜端面６３と、嵌合方向に直交する後方側の立ち上がり端面６４とを有する突起６２を備える。該突起６２は、断面三角形状を有し、傾斜端面６３と立ち上がり端面６４とによって画成される頂部６５は、鋭角に形成される。なお、雄コネクタ５０の係合部の立ち上がり端面６４は、雌コネクタ１０の係合部２０の立ち上がり端面６４と当接可能な当接端面として機能する。例えば、突起６２の傾斜角度は、４５°に設定される。
【００２６】
また、前記雌コネクタ１０の係合部２０には、複数の突起２２，２２…が嵌合方向に並ぶ態様で設けられる。また、前記雄コネクタ５０の係合部６０には、前記雌コネクタ１０の係合部２０に対応して、複数の突起６１，６１…が嵌合方向に並ぶ態様で設けられる。
【００２７】
なお、前記雌コネクタ１０の係合部２０には、隣接する二つの突起２２，２２のうち一方の突起２２の傾斜端面２３と他方の突起２２の立ち上がり端面２４とによって、突起２２よりも径方向に凹む底部２６が画成され、複数の突起２２，２２間の空間は、雄コネクタ５０の突起６２を収容する収容空間２７となる。
【００２８】
同様に、雄コネクタ５０の係合部６０には、隣接する二つの突起６２，６２のうち一方の突起６２の傾斜端面６３と他方の突起６２の立ち上がり端面６４とによって、突起６２よりも径方向に凹む底部６６が画成され、複数の突起６２，６２間の空間は、雌コネクタ１０の突起２２を収容する収容空間６７となる。
【００２９】
そして、雌コネクタ１０の突起２２と雄コネクタ５０の突起６２とは、径方向に少なくとも一部が重複するように設定される。具体的には、各コネクタ１０，５０の突起２２，６２は、同一の高さ寸法に設定され、突起２２，６２同士は、各突起２２，６２の高さの半分程度の長さ分重複する。
【００３０】
また、図４に示すように、前記雌コネクタ１０の係合部２０には、前記傾斜端面２３及び立ち上がり端面２４を有する突起２２が形成される突起領域２１と、該突起領域２１に隣接し突起２２よりも径方向に凹む隣接領域２８とが、前記連通路Ｃの軸線周りに設られる。なお、前記連通路Ｃの軸線は、前記嵌合方向に沿うものである。また、前記雄コネクタ５０の係合部６０には、前記傾斜端面６３及び立ち上がり端面６４を有する突起６２が形成される突起領域６１と、該突起領域６１に隣接し突起６２よりも径方向に凹む隣接領域６８とが、前記連通路Ｃの軸線周りに設けられる。そして、各コネクタ１０，５０の突起領域２１，６１と隣接領域２８，６８とは、相対するコネクタ５０，１０の隣接領域６８，２８と突起領域６１，２１とにそれぞれ対応させて配置され、即ち、それぞれ対応する角度位置に配置される。しかも、各コネクタ１０，５０の突起領域２１，６１は、相対するコネクタ５０，１０の隣接領域２８，６８と同等以下の角度範囲で設けられる。
【００３１】
具体的には、前記雌コネクタ１０の係合部２０は、突起領域２１と隣接領域２８とが繋がって前記連通路Ｃの軸線周りに一周する態様で設けられる。即ち、突起領域２１と隣接領域２８とは、正面視円弧状を有する。また、突起領域２１及び隣接領域２８は、前記連通路Ｃを中心にして対向する位置に二箇所ずつ設けられる。なお、雌コネクタ１０では、突起領域２１が隣接領域２８と同一又はそれ以下の角度範囲に亘って形成され、例えば、突起領域２１が一箇所当たり５４°、隣接領域２８が一箇所当たり１２６°の角度範囲で形成される。
【００３２】
また、前記雄コネクタ５０の係合部も同様に、突起領域６１と隣接領域６８とが繋がって前記連通路Ｃの軸線周りに一周する態様で設けられる。即ち、突起領域６１と隣接領域６８とは、正面視円弧状を有する。また、突起領域６１及び隣接領域６８は、前記連通路Ｃを中心にして対向する位置に二箇所ずつ設けられる。なお、雄コネクタ５０では、突起領域６１が隣接領域６８と同一又はそれ以上の角度範囲に亘って形成され、例えば、突起領域６１が一箇所当たり１２０°、隣接領域６８が一箇所当たり６０°の角度範囲で形成される。
【００３３】
ところで、図１〜図４から分かるように、前記雄コネクタ５０は、前方部５１が二重構造に形成されるものであり、径方向内側に設けられる内周部５２と、径方向外側に設けられる外周部５３とを有する。前記内周部５２は、雌コネクタ１０の前方部５１に収容される。また、前記外周部５３は、雌コネクタ１０の前方部５１を径方向外側から包囲し、前記内周部５２との間に前記雌コネクタ１０の前方部１１を収容する。
【００３４】
具体的には、前記雌コネクタ１０は、後方部１４よりも内径が大きくなるように前方に向かって拡開する拡開部１２を前方部１１に有する。雌コネクタ１０の拡開部１２には、前記雄コネクタ５０の内周部５２が収容される。そして、前記雌コネクタ１０の係合部２０は、前方部１１の外周に設けられるとともに、前記雄コネクタ５０の係合部６０は、前記外周部５３の内周に設けられる。しかも、前記雌コネクタ１０の後方部１４の内径と雄コネクタ５０の前方部５１が有する内周部５２の内径とは、略同一に構成される。
【００３５】
雌コネクタ１０の突起２２は、前方部１１の外周面１３から径方向外方に突出する態様で形成される。即ち、前記突起領域２１は、前方部１１の外周面１３よりも外径寸法が大きく形成される領域であり、前記隣接領域２８は、突起２２よりも外径寸法が小さく形成される領域である。
【００３６】
雄コネクタ５０の突起６２は、前方部５１が有する外周部５３の内周面５４から径方向内方に突出する態様で形成される。即ち、前記突起領域６１は、外周部５３の内周面５４よりも内径寸法が小さく形成される領域であり、前記隣接領域６８は、突起６２よりも外径寸法が大きく形成される領域である。
【００３７】
雌コネクタ１０の前方部１１が有する拡開部１２と後方部１４とは段差状に設けられ、拡開部１２と後方部１４との間には、前方側を向く段差面１５が形成される。また、雄コネクタ５０の内周部５２の先端端面５２ａは、前記雌コネクタ１０の段差面１５に対応する形状を有し、コネクタ１０，５０同士が連結されると、前記段差面１５と先端端面５２ａとが隙間なく密に接触する。これにより、流体流通時の密閉性（流体が液体である場合には液密性）が好適に確保される。
【００３８】
なお、雌コネクタ１０の前方部１１の内周側前方端縁部と、雄コネクタ５０の前方部５１が有する内周部５２の外周側前方端縁部とは、嵌合を容易にすべく、角取りされている。
【００３９】
ところで、雌コネクタ１０は、拡開部１２を前方部１１に有し、該前方部１１が連結部分となるものであるが、該連結部分よりも後方側の部分（即ち、後方部１４）を基部とすれば、前記連結部分は、基部から前方側に突出する延出部として特定することもできる。また、前記雄コネクタ５０の前方部５１は、上述のとおり、内周部５２と外周部５３とを有するものであり、前記内周部５２と外周部５３との間の空間は、前記雌コネクタ１０の延出部を収容する収容空間として特定することもできる。
【００４０】
また、各コネクタ１０，５０間には、補助的に抜けを防止する補助抜け防止機構８０が備えられる。具体的には、補助抜け防止機構８０は、雌コネクタ１０に備えられる凹部８１と、雄コネクタ５０に備えられ、前記凹部８１に嵌まり込む突出部８２とで構成され、これら突出部８２及び凹部８１は、前記連通路Ｃの軸線に対して交差する方向（具体的には、径方向）に沿って設けられる。なお、凹部８１が雌コネクタ１０に備えられ、突出部８２が雄コネクタ５０に備えられるものであってもよい。
【００４１】
より具体的には、補助抜け防止機構８０は、雌コネクタ１０の前方部１１が有する拡開部１２の内周と雄コネクタ５０の前方部５１が有する内周部５２の外周との間に形成される。そして、突出部８２が雄コネクタ５０の内周部５２の外周に設けられ、凹部８１が雌コネクタ１０の拡開部１２の内周に設けられる。
【００４２】
ところで、前記雄コネクタ５０の突出部８２は、突起６２よりも後方に設けられるとともに、雌コネクタ１０の凹部８１は、突起２２よりも前方に設けられる。また、前記雄コネクタ５０における突出部８２と最も後方の突起６２の立ち上がり端面６４との前後方向距離と、前記雌コネクタ１０における凹部８１と最も前方の突起２２の立ち上がり端面２４との前後方向距離とは、略同一に設定される。従って、嵌合の際には、各コネクタ１０，５０の全ての突起２２，６２同士が係合しあった状態となった際に突出部８２と凹部８１とが嵌り合うこととなる。突出部８２と凹部８１とが嵌り合うと、突起２２，６２同士の係合とは異なる衝撃又は振動が生じ、それが操作者に伝達されて感覚的に認識される。このため、補助抜け防止機構８０は、コネクタ１０，５０同士が良好に嵌合したことを確認するための確認手段としても機能する。
【００４３】
また、図２及び特に図４に示されるように、前記各コネクタ１０，５０間には、相対的に回転するのを規制する回転規制機構９０が備えられ、該回転規制機構９０は、各コネクタ１０，５０の突起領域２１，６１同士が一致する配置関係から隣接領域２８，６８同士が一致する配置関係（又はその逆）に変化するのを妨げるように機能する。
【００４４】
具体的には、回転規制機構９０は、雌コネクタ１０の突起２２の周方向端部９１と、雄コネクタ５０の突起領域６１と隣接領域６８との境界部分に設けられる干渉部９２とで構成される。より具体的には、前記干渉部９２は、前記雄コネクタ５０の突起６２の周方向端部に設けられる干渉壁であり、該干渉部９２に対して雌コネクタ１０の突起２２の周方向端部９１が当接することで、コネクタ１０，５０同士の回転が規制される。
【００４５】
なお、二重構造の前方部５１を有する雄コネクタ５０を製造する方法としては、内周部５２と外周部５３とを一体的に成形する方法のほか、内周部５２と外周部５３とを別々に成形した後に一体化する方法が考えられる。
【００４６】
次に、上記構成からなるコネクタ１０，５０の使用方法について説明する。
【００４７】
まず、コネクタ１０，５０同士を連結する際には、各コネクタ１０，５０の突起領域２１，６１同士を一致させた状態で対向させ、雄コネクタ５０の前方部５１を雌コネクタ１０の前方部１１に挿入する。（なお、挿入するコネクタが逆であってもよい。）このとき、各コネクタ１０，５０は、傾斜端面２３，６３同士が摺接し、突起２２，６２の頂部２５，６５同士が互いを乗り越えつつ嵌合する。そして、雌コネクタ１０の段差面１５と雄コネクタ５０の内周部５２の先端端面５２ａとが当接する位置まで挿入されると、雄コネクタ５０に備えられる突出部８２が雌コネクタ１０に備えられる凹部８１に嵌まり込む。
【００４８】
次に、コネクタ１０，５０同士を分離する際には、各コネクタ１０，５０同士を周方向に相対回転させ、雌コネクタ１０の突起に雄コネクタ５０の干渉部９２を乗り越えさせる。そして、各コネクタ１０，５０の突起領域２１，６１と隣接領域２８，６８とがそれぞれ一致する状態としてから、嵌合方向に沿って互いに離間する方向に相対変位させて、コネクタ１０，５０を外す。
【００４９】
なお、回転規制機構としては、上述の構造のもの以外にも、種々のものが考えられる。
【００５０】
例えば、図５に示すように、回転規制機構９０’としては、雄コネクタ５０に備えられる突出部９１’と、雌コネクタ１０に備えられ、突出部９１’が嵌まり込む凹部９２’とで構成されるものが考えられ、これら突出部９１’及び凹部９２’は、前記径方向に対して交差する方向（具体的には、軸線方向若しくは嵌合方向）に沿って設けられる。なお、凹部９２’が雄コネクタ５０に備えられ、突出部９１’が雌コネクタ１０に備えられるものであってもよい。
【００５１】
具体的には、回転規制機構９０’は、雌コネクタ１０の前方部１１が有する拡開部１２の内周と雄コネクタ５０の前方部５１が有する内周部５２の外周との間に形成される。そして、突出部９１’が雌コネクタ１０の内周部５２の外周に設けられ、凹部９２’が雌コネクタ１０の拡開部１２の内周に設けられる。より具体的には、雄コネクタ５０の突出部９１’は、内周部５２の前方端縁部を一端側として形成され、雌コネクタ１０の凹部９２’は、拡開部１２の前方端縁部を一端側として形成される。なお、突出部９１’は、補助抜け防止機構８０を構成する突出部８２と接続して形成される。また、凹部９２’は、補助抜け防止機構８０を構成する凹部８１と接続して形成される。
【００５２】
このように形成されることにより、コネクタ１０，２０同士を連結する際に、各コネクタ１０，５０の凹部９２’と突出部９１’とを一致させてから嵌合方向に接近させた場合には、これら突出部９１’及び凹部９２’は、コネクタ１０，５０同士を嵌合させる際のガイド機構として機能する。また、コネクタ１０，５０同士を連結する際に、突出部９１’及び凹部９２’を一致させない状態で嵌合方向に接近させた場合には、嵌合後にコネクタ１０，５０同士を相対回転させると、突出部９１’と凹部９２’とが嵌り合うこととなる。突出部９１’と凹部９２’とが嵌り合うと、各コネクタ１０，５０の突起２２，６２同士の係合とは異なる衝撃又は振動が生じ、それが操作者に伝達されて感覚的に認識される。このため、回転規制機構９０’は、コネクタ１０，５０同士が適正な配置関係となったことを確認するための確認手段としても機能する。
【００５３】
かかるコネクタ１０，５０は、コネクタ１０，５０同士を分離する際には、各コネクタ１０，５０を周方向に相対回転させ、雌コネクタ１０の凹部９２’に嵌まり込んでいた雄コネクタ５０の突出部９１’を前記凹部９２’から脱離させる。そして、各コネクタ１０，５０の突起領域２１，６１と隣接領域２８，６８とがそれぞれ一致する状態としてから、嵌合方向に沿って互いに離間する方向に相対変位させると、コネクタ１０，５０が外れる。
【００５４】
また、その他の例としては、図６に示すように、回転規制機構９０”は、コネクタ１０，５０同士を嵌合させた際に雌コネクタ１０の突起２２の頂部２５と径方向に対向する雄コネクタ５０の部位が、突起６２”の周方向端部ほど周方向中央部よりも径方向に迫り出す構成のものが考えられる。なお、図６においては、雌コネクタ１０は、二点鎖線によって輪郭のみ示される。具体的には、雄コネクタ５０の係合部６０”に形成される底部６７”が、突起６２”の周方向両端部ほど周方向中央部よりも連通路の中心に近い位置にくるように形成される。正面から見た際の底部６７”の形状は、楕円形状を有する。
【００５５】
かかるコネクタ１０，５０は、コネクタ１０，５０同士の相対的な角度位置が適正な角度範囲内にある場合には、雌コネクタ１０の突起２２の頂部２５と雄コネクタ５０の底部６７”とが当接しないが、コネクタ１０，５０同士の相対的な角度位置が適正な角度範囲内から逸脱すると、雌コネクタ１０の突起２２の頂部２５と雄コネクタ５０の底部６７”とが当接するようになり、適正な角度範囲からの逸脱角度が大きくなればなるほどより強く当接することとなる。
【００５６】
また、各コネクタ１０，５０の素材としては、任意の素材が用いられるが、少なくとも各コネクタの前方部は、連結の際には各突起の頂部同士が互いを乗り越えることができる程度に変形可能である一方、連結の際とは逆方向に力を作用させても各突起が変形せず、立ち上がり端面同士が当接した状態を維持可能な硬さの素材、例えばポリカーボネート等を用いるのが好適である。
【００５７】
＜第二実施形態＞
次に、第二実施形態について説明する。図７及び図８に示すように、第二実施形態に係る医療用具の接続構造、雌コネクタ１１０、雄コネクタ１５０は、第一実施形態よりも従来の医療用具の接続構造に近いものである。
【００５８】
具体的には、雄コネクタ１５０は、コネクタ本体１５２及びロックリング１５３の二部材で構成される。また、雄コネクタ１５０のコネクタ本体１５２は、前方部１５１の外周がテーパー状に形成されるとともに、雌コネクタ１１０は、内周がテーパー状に形成され、コネクタ１１０，１５０同士を連結した際には、雄コネクタ１５０のコネクタ本体１５２が雌コネクタ１１０に収容される態様となる。ところで、雄コネクタ１５０のコネクタ本体１５２は、雌コネクタ１１０よりもテーパー角が大きく設定され、コネクタ本体１５２と雌コネクタ１１０とを嵌合させると、雌コネクタ１１０の開口端縁部とコネクタ本体１５２の外周面とが当接する。
【００５９】
前記雄コネクタ１５０は、ロックリング１５３がコネクタ本体１５２を係止可能に構成され、ロックリング１５３に係止部１５７が設けられるとともにコネクタ本体１５２に被係止部１５６が設けられる。そして、コネクタ本体１５２と雌コネクタ１１０とを嵌合させた状態で、コネクタ本体１５２に外嵌されるロックリング１５３と雌コネクタ１１０とを嵌合させると、コネクタ本体１５２がロックリング１５３に係止されることで雌コネクタ１１０に向かって押圧され、コネクタ本体１５２と雌コネクタ１１０とが密に接続される。
【００６０】
前記各コネクタ１１０，１５０は、互いに嵌合する態様で連結されるとともに、連結された状態を維持すべく互いに係合可能な係合部１２０，１６０を前方部１１１、１５１にそれぞれ有する。雄コネクタ１５０の係合部１２０は、コネクタ本体１５２及びロックリング１５３のうちロックリング１５３に設けられる。具体的には、雄コネクタ１５０の係合部１２０は、ロックリング１５３の内周に設けられる。また、雌コネクタ１１０の係合部１２０は、前方部１１１の外周に設けられる。ただし、各コネクタ１１０，１５０の係合部１２０，１６０が設けられる部位は、これ以外にも様々なものが考えられ、コネクタ１１０，１５０同士が対向する部位であれば、いずれかの部位であっても設けることが可能である。
【００６１】
なお、第二実施形態にかかる雌コネクタ１１０及び雄コネクタ１５０に設けられる突起１２２，１６２の構造は、第一実施形態のものと同様である。また、上記第一実施形態と同様に、各コネクタ１１０，１５０の係合部１２０，１６０には、突起１２２，１６２が設けられる突起領域と隣接領域とが前記連通路の軸線周りに設定される。そして、上記第一実施形態と同様に、回転規制機構や補助抜け防止機構等が適宜設けられる。また、上記構成からなるコネクタの使用方法、即ち、コネクタ同士を連結する際及びコネクタ同士を分離する（コネクタを外す）際の動作も、上記第一実施形態のものと基本的に同様である。これら第一実施形態と同様の点については、説明を割愛する。
【００６２】
＜第三実施形態＞
次に、第三実施形態について説明する。第三実施形態は、図９〜図１１に示すように、一対のコネクタ２１０，２５０に特徴を有する。以下、具体的に説明する。
【００６３】
まず、雄コネクタ２５０は、上記第一実施形態の場合と同様に、前方部２５１が二重構造に形成されるものであり（図１０参照）、径方向内側に設けられる内周部２５２と、径方向外側に設けられる外周部２５３とを有する。そして、外周部２５３のうち係合部２６０が設けられる部分よりもその他の部分が容易に変形可能に構成される（図１１参照）。
【００６４】
前記外周部２５３は、軟質部分と硬質部分とで構成される。具体的には、前記雄コネクタ２５０は、図９に示すように、突起２６２が形成される突起形成体２７０と、該突起形成体２７０と一体的に連結される変形可能な変形体２７１とで構成され、変形体２７１は、突起形成体２７０よりも軟質に形成される。また、前記突起形成体２７０と変形体２７１との間には、これらを一体的に連結する一体連結手段２７３が備えられる。具体的には、一体連結手段２７３は、変形体２７１に設けられる鉤部２７４と、該鉤部２７４を受け入れる鉤孔２７５とで構成される。
【００６５】
前記突起形成体２７０の素材としては、例えばポリカーボネート樹脂等を用いるのが好適である。一方、変形体２７１の素材としては、ポリ塩化ビニルやシリコーン、ポリウレタン等を用いるのが好適である。
【００６６】
また、各コネクタ２１０，２５０間には、一対のコネクタ２１０，２５０のうち一方が他方を回転不能に保持する保持機構２９０が備えられる。具体的には、雄コネクタ２５０には、軸線方向に沿って前方から後方側に延びる溝状の保持部２９１が設けられ、雌コネクタ２１０には、前記保持部２９１に保持される突起状の被保持部２９２が設けられる。
【００６７】
雄コネクタ２５０の保持部２９１は、内周面２５４から径方向外方に向かって延びるように形成される。また、雌コネクタ２１０の被保持部２９２は、雄コネクタ２５０を変形させない通常状態では、先端部が雄コネクタ２５０の保持部２９１に収容され、雄コネクタ２５０を変形させた変形状態では、基端部まで雄コネクタ２５０の保持部２９１に収容される。
【００６８】
雌コネクタ２１０の被保持部２９２は、外周面２１３から所定の長さ突出するように形成され、雄コネクタ２５０の保持部２９１の深さ寸法は、雌コネクタ２１０の被保持部２９２の突出寸法に対応して設けられる。
【００６９】
なお、第三実施形態にかかる雌コネクタ２１０及び雄コネクタ２５０に設けられる突起２２２，２６２の構造は、第一実施形態のものと同様である。また、上記第一実施形態と同様に、各コネクタ２１０，２５０の係合部２２０，２６０には、突起２２２，２６２が設けられる突起領域２２１，２６１と隣接領域２２８，２６８とが前記連通路Ｃの軸線周りに設定される。そして、上記第一実施形態と同様に、補助抜け防止機構２８０（凹部２８１及び突出部２８２）等が適宜設けられる。これら第一実施形態と同様の点については、説明を割愛する。
【００７０】
次に、上記構成からなるコネクタの使用方法について説明する。
【００７１】
まず、コネクタ２１０，２５０同士を連結する際には、上記第一実施形態の場合と同様であり、例えば、各コネクタ２１０，２５０の突起領域２２１，２６１同士を一致させた状態で対向させ、雄コネクタ２５０の前方部２５１を雌コネクタ２１０の前方部２１１に挿入する。
【００７２】
一方、コネクタ２１０，２５０同士を分離する際には、雄コネクタ２５０の軟質部分である変形体２７１を両側から押圧し、硬質部分（即ち、係合部２６０）が連通路Ｃから径方向外方に変位するように変形させる。すると、雄コネクタ２５０の突起２２２が雌コネクタ２１０の突起２６２から離間し、各コネクタ２１０，２５０の突起２２２，２６２同士が噛み合っていた状態から噛み合わない状態となる。この状態から、嵌合方向に沿って互いに離間する方向に相対変位させて、コネクタ２１０，２５０を外す。
【００７３】
なお、外周部２５３のうち前記係合部２６０が設けられる部分よりもその他の部分が容易に変形可能に構成されるものであれば、上述のような突起形成体２７０と変形体２７１とで構成されるものでなくてもよい。例えば、外周部２５３のいずれかの部位を肉薄に成形して、外周部２５３に加えられる押圧力をその肉薄な部分に集中的に作用させることにより、外周部２５３が変形するものであってもよい。
【００７４】
以上のように、本実施形態に係る接続構造、及び、雄コネクタ並びに雌コネクタによれば、流体を取り扱う医療用具同士を容易且つ確実に接続することができる。
【００７５】
即ち、上記構成からなる医療用具の接続構造によれば、コネクタ同士を連結すると、一方のコネクタ（即ち、雌コネクタ）の係合部の立ち上がり端面と他方のコネクタ（即ち、雄コネクタ）の係合部の当接端面とが当接した状態となり、コネクタ同士を好適に抜け止めすることができる。
【００７６】
また、一方のコネクタの係合部の突起には傾斜端面が設けられるため、各コネクタの突起領域同士を一致させた状態であっても、コネクタ同士を接近させると他方のコネクタの突起が一方のコネクタの突起の傾斜端面上をスライドする態様とすることができ、コネクタ同士を容易に連結することができる。また、コネクタの連結を行う者は、各コネクタの突起同士が互いを乗り越える際の感覚を認識することができるため、コネクタの連結状態を感覚的にも把握することができる。
【００７７】
そして、各コネクタの突起領域と隣接領域とを一致させた状態とした場合には、各コネクタの突起同士が互いに干渉しない状態となり、この状態から嵌合方向に沿って離間させれば、容易にコネクタを外すことができる。
【００７８】
さらに、前記一方のコネクタの前方部及び後方部の内径と他方のコネクタの後方部の内径とが略同一に構成される場合には、各コネクタ間には、段差のない連続した管路（即ち、連通路）が形成されることとなる。このため、流体の性状に悪影響を与えることなく連通路の中を流体を流通させることができる。具体的には、連通路の接続部分に段差が存在する場合、連通路の上流側から下流側に流通する流体の流れが段差部分において乱れることとなる。このため、例えば流通される流体が血液である場合には、血液中の血小板が損傷するなどの不都合が生じ得る。また、例えば従来のルアーテーパーを有するコネクタの場合には、テーパー角度が僅かに異なることによって一対のコネクタのテーパー部間に隙間が存在する。このため、この隙間の中に例えば液体に含まれる物質が詰まってしまうなどの不都合もある。この点、上述のように内径を設定した場合には、そのようなことがない。
【００７９】
また、他方のコネクタでは、一方のコネクタと係合する機能が外周部に割り当てられ、一方のコネクタとの間に連通路を形成する機能が内周部に割り当てられるため、それぞれの機能の信頼性を高いものとすることができる。
【００８０】
さらに、上記第一実施形態や第三実施形態における雄コネクタは、内周部と外周部とが一体的に構成されるものであるため、取り扱いが容易である。
【００８１】
なお、本発明に係る医療用具の接続構造、及び、該接続構造に用いられる雄コネクタ並びに雌コネクタは、上記実施形態に限定されるものではなく、本発明の要旨を逸脱しない範囲で種々の変更が可能である。
【００８２】
例えば、上記実施形態においては、医療用具として医療用チューブ同士を接続するものを例示したが、これに限定されず、他にも注射器、三方活栓などが挙げられる。そして、各コネクタは、これら医療用具とは別の部材として設けられるものであってもよく、医療用具の一部分として一体的に設けられるものであってもよい。
【００８３】
また、一対のコネクタの係合部に設けられる突起は、上述のものに限定されず、図１２に示すようなものであってもよい。具体的に説明すると、図１２（Ａ）のものでは、いずれか一方のコネクタの突起３２２が間隔を置いて形成され、底部３２６が所定の幅を有するとともに、他方のコネクタの突起３６２は、頂部３６５が所定の幅を有する。また、図１２（Ｂ）のものでは、いずれか一方のコネクタの突起４２２は、傾斜端面４２３及び立ち上がり端面４２４を有するものの、他方のコネクタの突起４６２は傾斜端面を有さず、一方のコネクタの係合部の立ち上がり端面と当接可能な当接端面（若しくは、立ち上がり端面）４６４のみを有する。さらに、図１２（Ｃ）のものでは、いずれか一方のコネクタの突起５２２が他方のコネクタの突起５６２に比べて少なく形成される。さらに、突起は複数設けられるものでなく、一つのみ設けられるものであってもよい。
【００８４】
そして、上記実施形態においては、前記他方のコネクタが内周部及び外周部の二重構造を有するとともに、一方のコネクタはそれに対応する形状を有するものとして説明したが、これに限定されるものではなく、図１３に示すような一対のコネクタであってもよい。この他方のコネクタ（雄コネクタ）６５０は、一方のコネクタ（雌コネクタ）６１０の前方部６１１の拡開部６１２に収容される小径の前方部６５１を有する。そして、一方のコネクタ６１０の係合部６２０は、拡開部６１２の内周に設けられるとともに、他方のコネクタ６５０の係合部６６０は、前方部６５１の外周に設けられる。
【００８５】
なお、上記実施形態においては、コネクタ同士の間に回転規制機構が設けられるものとして説明したが、回転規制機構は必須の構成要素ではなく、コネクタ同士の接触部分に発生する摩擦によって回転が規制されるものであってもよい。
【００８６】
また、上記実施形態においては、コネクタ同士を連結する際には、各コネクタの突起領域同士を一致させた状態で対向させ、雄コネクタの前方部を雌コネクタの前方部に挿入し、各コネクタは、傾斜端面同士を摺接させて、突起の頂部同士が互いを乗り越えつつ嵌合させるものとして説明した。ただし、これに限定されるものではなく、各コネクタの隣接領域同士を一致させた状態で対向させ、雄コネクタの前方部を雌コネクタの前方部に挿入した後、コネクタ同士を回転させて、一方のコネクタの係合部の立ち上がり端面と当接端面とを当接させた状態とするものであってもよい。
【００８７】
さらに、上記実施形態においては、補助抜け防止機構８０を構成する突出部８２が雄コネクタ５０の一部位として一体的に設けられるものであったが、これに限定されるものではなく、弾力性を有する環状部材（いわゆるゴム製のＯリング）を別途用いて構成されるものであってもよい。かかる環状部材を用いれば、補助抜け防止機構を構成する凹部に圧接し、また、大きな摩擦力を発揮するため、コネクタ同士をより好適に抜け止めすることができる。このような環状部材を用いた構成は、特に高い圧力で流体を流通させる場合（例えば、心臓バイパス手術等において高い血圧の血液を流通させる場合）に効果的である。
【００８８】
そして、上記実施形態においては、突起領域及び隣接領域は、前記連通路を中心にして対向する位置に二箇所ずつ設けられるものであったが、これに限定されるものではなく、二箇所より多く設けられるものであってもよく、一箇所のみ設けられるものであってもよい。また、突起領域及び隣接領域の角度範囲は、上述した数値に限定されるものではない。突起の傾斜角度に関しても同様である。
【図面の簡単な説明】
【００８９】
【図１】本発明の第一実施形態に係る医療用具の接続構造の断面側面図を示す。
【図２】同実施形態に係る一対のコネクタの斜視図であって、（Ａ）は、雌コネクタを示し、（Ｂ）は、雄コネクタを示す。
【図３】同実施形態に係る一対のコネクタの断面側面図であって、（Ａ）は、雌コネクタを示し、（Ｂ）は、雄コネクタを示す。
【図４】同実施形態に係る一対のコネクタの正面図であって、（Ａ）は、雌コネクタを示し、（Ｂ）は、雄コネクタを示す。
【図５】同実施形態に係る医療用具の接続構造に備えられる回転規制機構の他の具体例の図であって、（Ａ）は、雌コネクタの部分正面図を示し、（Ｂ）は、雌コネクタの部分断面側面図を示し、（Ｃ）は、雄コネクタの部分正面図を示し、（Ｄ）は、雄コネクタの部分断面側面図を示す。
【図６】同実施形態に係る医療用具の接続構造に備えられる回転規制機構のさらに他の具体例の正面図を示す。
【図７】本発明の第二実施形態に係る医療用具の接続構造の断面側面図を示す。
【図８】同実施形態に係る一対のコネクタの断面側面図であって、（Ａ）は、雌コネクタを示し、（Ｂ）は、雄コネクタを示す。
【図９】本発明の第三実施形態に係る医療用具の接続構造に用いられる雄コネクタ及び雌コネクタの正面図であって、（Ａ）は、雌コネクタを示し、（Ｂ）は、雄コネクタを示す。
【図１０】同実施形態に係る一対のコネクタの部分断面側面図であって、（Ａ）は、雌コネクタを示し、（Ｂ）は、雄コネクタを示す。
【図１１】同実施形態に係る一対のコネクタを外す方法を説明する正面図であって、（Ａ）は、一対のコネクタの連結状態を示し、（Ｂ）は、一対のコネクタを外すべく雄コネクタを変形させた状態を示す。の断面側面図を示す。
【図１２】本発明の他の実施形態に係る一対のコネクタに設けられる突起の変形例を説明する部分断面側面図を示す。
【図１３】本発明の他の実施形態に係る一対のコネクタの断面側面図であって、（Ａ）は、雌コネクタを示し、（Ｂ）は、雄コネクタを示す。
【符号の説明】
【００９０】
１０…雌コネクタ、１１…前方部、１２…拡開部、１３…外周面、１４…後方部、１５…段差面、２０…係合部、２１…突起領域、２２…突起、２３…傾斜端面、２４…立ち上がり端面、２５…頂部、２６…底部、２７…収容空間、２８…隣接領域、５０…雄コネクタ、５１…前方部、５２…内周部、５２ａ…先端端面、５３…外周部、５４…内周面、６０…係合部、６１…突起領域、６２…突起、６３…傾斜端面、６４…立ち上がり端面、６５…頂部、６６…底部、６７…収容空間、６８…隣接領域、８０…補助抜け防止機構、８１…凹部、８２…突出部、９０…回転規制機構、９１…周方向端部、９２…干渉部、９０’…回転規制機構、９１’…突出部、９２’…凹部、６０”…係合部、６２”…突起、６７”…底部、９０”…回転規制機構、１１０…雌コネクタ、１１１…前方部、１２０…係合部、１２２…突起、１５０…雄コネクタ、１６０…係合部、１６２…突起、１５０…雄コネクタ、１５１…前方部、１５２…コネクタ本体、１５３…ロックリング、１５６…被係止部、１５７…係止部、２１０…雌コネクタ、２１１…前方部、２１３…外周面、２２０…係合部、２２１…突起領域、２２２…突起、２２８…隣接領域、２５０…雄コネクタ、２５１…前方部、２５２…内周部、２５３…外周部、２５４…内周面、２６０…係合部、２６１…突起領域、２６２…突起、２６８…隣接領域、２７０…突起形成体、２７１…変形体、２７３…一体連結手段、２７４…鉤部、２７５…鉤孔、２８０…防止機構、２８１…凹部、２８２…突出部、２９０…保持機構、２９１…保持部、２９２…被保持部、３２２…突起、３２６…底部、３６２…突起、３６５…頂部、４２２…突起、４２３…傾斜端面、４２４…端面、４６２…突起、５２２…突起、５６２…突起、６１０…コネクタ、６１１…前方部、６１２…拡開部、６２０…係合部、６５０…コネクタ、６５１…前方部、６６０…係合部、Ｃ…連通路、Ｍ…医療用具
【図１】
2009050530.tif 000003
【図２】
2009050530.tif 000004
【図３】
2009050530.tif 000005
【図４】
2009050530.tif 000006
【図５】
2009050530.tif 000007
【図６】
2009050530.tif 000008
【図７】
2009050530.tif 000009
【図８】
2009050530.tif 000010
【図９】
2009050530.tif 000011
【図１０】
2009050530.tif 000012
【図１１】
2009050530.tif 000013
【図１２】
2009050530.tif 000014
【図１３】
2009050530.tif 000015